(57)【要約】【課題】  透光性カバーを枠体に接着した際に、接着剤が枠体からはみ出すことを抑制する。【解決手段】  一実施形態に係る表示装置は、表示部と、前面に少なくとも１つの凹部を有し、前記表示部の前面側に配置された枠体と、前記凹部を始点として前記枠体の前記前面に塗布された接着剤と、前記枠体の前面側に配置され、後面が前記接着剤により前記枠体の前記前面に接着された透光性カバーと、を備える。【選択図】  図３
2018189921.tif 000002
【特許請求の範囲】
【請求項１】
表示部と、
前面に少なくとも１つの凹部を有し、前記表示部の前面側に配置された枠体と、
前記凹部を始点として前記枠体の前記前面に塗布された接着剤と、
前記枠体の前面側に配置され、後面が前記接着剤により前記枠体の前記前面に接着された透光性カバーと、
を備える表示装置。
【請求項２】
前記凹部は、貫通孔であり、
前記表示部は、前面が前記凹部を介して前記接着剤により前記枠体の後面に接着される
請求項１に記載の表示装置。
【請求項３】
前記凹部は、貫通孔であり、
前記表示部の後面側に配置され、前記表示部を保持する保持部を更に備え、
前記保持部は、前面が前記凹部を介して前記接着剤により前記枠体の後面に接着される
請求項１に記載の表示装置。
【請求項４】
前記接着剤は、前記凹部を終点として前記枠体の前記前面に塗布される
請求項１から請求項３のいずれか１項に記載の表示装置。
【請求項５】
前記凹部は、前記枠体の角部の少なくとも１つに設けられる
請求項１から請求項４のいずれか１項に記載の表示装置。
【発明の詳細な説明】
【技術分野】
【０００１】
本発明は、表示装置に関する。
【背景技術】
【０００２】
従来、液晶パネル、枠体、及びタッチパネルを積層することにより構成された表示装置が利用されている。タッチパネルは、枠体の前面に塗布された接着剤により、当該枠体の前面に接着される。
【先行技術文献】
【特許文献】
【０００３】
【特許文献１】特開２０１４−１７４３９１号公報
【発明の概要】
【発明が解決しようとする課題】
【０００４】
近年、液晶パネルの狭額縁化に伴い、枠体の幅も狭くなっている。枠体が狭くなると、枠体の前面にタッチパネルを接着した際に、枠体の前面に塗布された接着剤が枠体の外側にはみ出るおそれがある。特に、接着剤の塗布の始点は、他の部分より接着剤が多く塗布されるため、接着剤が枠体の外側にはみ出る可能性が高くなる。
【０００５】
本発明は、上記の課題に鑑みてなされたものであり、タッチパネル等の透光性カバーを枠体に接着した際に、接着剤が枠体からはみ出すことを抑制することを目的とする。
【課題を解決するための手段】
【０００６】
一実施形態に係る表示装置は、表示部と、前面に少なくとも１つの凹部を有し、前記表示部の前面側に配置された枠体と、前記凹部を始点として前記枠体の前記前面に塗布された接着剤と、前記枠体の前面側に配置され、後面が前記接着剤により前記枠体の前記前面に接着された透光性カバーと、を備える。
【発明の効果】
【０００７】
本発明の各実施形態によれば、透光性カバーを枠体に接着した際に、接着剤が枠体からはみ出すことを抑制できる。
【図面の簡単な説明】
【０００８】
【図１】表示装置の一例を示す分解斜視図。
【図２】接着方法の各工程の一例を示す図。
【図３】接着剤及び枠体の一例を示す平面図。
【図４】第１の組み立て方法の各工程を示す図３のＡ−Ａ線断面図。
【図５】第２の組み立て方法の各工程を示す図３のＡ−Ａ線断面図。
【図６】第３の組み立て方法の各工程を示す図３のＡ−Ａ線断面図。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
一実施形態に係る表示装置１００について、図１〜図６を参照して説明する。本実施形態に係る表示装置１００は、スマートフォン、タブレット端末、カーナビゲーションシステムなどの表示装置として利用できる。図１は、表示装置１００の一例を示す分解斜視図である。図１の表示装置１００は、透光性カバー１と、接着剤２と、枠体３と、表示部４と、保持部５と、基板６と、後面カバー７と、を備える。
【００１１】
透光性カバー１は、ガラス製や樹脂製の透明な板状部材であり、枠体３の前面側に配置される。透光性カバー１は、前面が表示装置１００の表示面となり、後面が接着剤２により枠体３の前面に接着される。透光性カバー１は、例えば、透光性のタッチセンサを備えたタッチパネル、又は単体のカバーガラスであるが、これに限られない。透光性カバー１は、外周部分に不透明なベゼル部１１を有する。ベゼル部１１は、例えば、黒色の塗装部分等からなり、透光性カバー１に接着された枠体３の接着部分の前面を覆い、表示装置１００の外側からは見えなくする。
【００１２】
接着剤２は、透光性カバー１と枠体３とを接着するために、枠体３の前面に塗布された接着剤である。接着剤２として、樹脂、ガラス、金属などを接着可能な任意の接着剤を利用できる。ベゼル部１１は、接着剤２の前面を覆い、表示装置１００の外側から見えなくする。接着剤２の塗布方法については後述する。
【００１３】
枠体３は、透光性カバー１及び表示部４を保持するための樹脂製や金属製の部品であり、透光性カバー１の後面側、かつ、表示部４の前面側に配置される。枠体３は、前面を接着剤２により透光性カバー１の後面に接着され、後面に表示部４を押圧される。枠体３の構成について詳しくは後述する。
【００１４】
表示部４は、画像や映像を表示する部品であり、枠体３の後面側、かつ、保持部５の前面側に配置される。表示部４は、例えば、液晶パネルや有機ＥＬパネルなどである。
【００１５】
保持部５は、表示部４を保持するための金属製又は樹脂製の板状部材であり、表示部４の後面側、かつ、基板６の前面側に配置される。保持部５は、例えば、ブラケットなどである。表示部４を枠体３と保持部５との間に挟み、保持部５により表示部４を枠体３に向かって押圧した状態で、枠体３及び保持部５をネジなどで固定することにより、表示部４が摩擦力により所定の位置に保持される。
【００１６】
基板６は、表示部４の制御回路や表示部４に表示させる画像を処理する画像処理回路を搭載した回路基板であり、保持部５の後面側、かつ、後面カバー７の前面側に配置される。基板６は、保持部５の後面にネジなどで固定される。
【００１７】
後面カバー７は、基板６の後面を覆う金属製や樹脂製のカバーであり、基板６の後面側に配置される。後面カバー７が基板６を覆った状態で、後面カバー７を保持部５の後面にネジなどで固定することにより、基板６が保護される。
【００１８】
次に、接着剤による被接着物の接着方法について説明する。図２は、接着方法の各工程の一例を示す図である。図２の例では、ノズルの先端から接着剤を吐出する塗布装置８により被接着物９の上面に接着剤が塗布され、当該接着剤により、被接着物９及び被接着物１０が接着される場合を想定している。図２における斜線部分が接着剤である。以下では、塗布装置８が移動する場合を例に説明するが、被接着物９が移動してもよい。
【００１９】
まず、図２（Ａ）に示すように、塗布装置８は、被接着物９の上面における、接着剤を塗布する経路（以下「塗布経路」という。）の始点に接着剤が付着するように、被接着物９に向かって移動する。次に、図２（Ｂ）に示すように、塗布装置８は、接着剤を被接着物９の上面に吐出しながら移動することにより、被接着物９の上面に接着剤を塗布する。塗布装置８は、塗布経路の終点まで接着剤を塗布すると、図２（Ｃ）に示すように、接着剤の吐出を終了し、被接着物９から離れる。これにより、被接着物９の上面への接着剤の塗布が終了する。その後、図２（Ｄ）に示すように、接着剤が塗布された被接着物９の上面に、被接着物１０が押圧される。接着剤が固化すると、被接着物９及び被接着物１０が接着される。
【００２０】
図２に示すように、塗布装置８により接着剤を塗布する場合、塗布経路の始点における接着剤の量は、塗布経路の他の部分に比べて多くなる。このため、被接着物同士を接着すると、塗布経路の始点における接着剤の面積は、他の部分より広くなる。したがって、接着剤が塗布される被接着物の幅が狭い場合、塗布経路の始点において、接着剤が被接着物からはみ出すおそれがある。本実施形態における枠体３（被接着物）は、このような接着剤のはみ出しが抑制されるように構成される。なお、塗布経路の終点においても、例えば、接着剤の吐出停止が遅れた場合等には、接着剤の量が塗布経路の他の部分に比べて多くなる場合がある。したがって、塗布経路の終点においても、接着剤が被接着物からはみ出すおそれがある。
【００２１】
図３は、接着剤２及び枠体３の一例を示す平面図である。枠体３は、下辺３１Ｄと、上辺３１Ｕと、左辺３１Ｌと、右辺３１Ｒと、を備える。下辺３１Ｄ、上辺３１Ｕ、左辺３１Ｌ、及び右辺３１Ｒは、透光性カバー１のベゼル部１１により覆われる。
【００２２】
下辺３１Ｄは、上辺３１Ｕ、左辺３１Ｌ、及び右辺３１Ｒより太い太枠部であり、接着剤２をためるための凹部３２ａ，３２ｂ，３２ｃを有する。凹部３２ａは、下辺３１Ｄの中央部に形成された凹部である。凹部３２ｂは、下辺３１Ｄの左端部、すなわち、枠体３の左下角部に形成された凹部である。凹部３２ｃは、下辺３１Ｄの右端部、すなわち、枠体３の右下角部に形成された凹部である。凹部３２ａ〜３２ｃは、底部を有する凹部であってもよいし、貫通孔であってもよい。図３の例では、凹部３２ａ〜３２ｃの形状は、楕円形であるが、これに限られない。凹部３２ａ〜３２ｃは、円形、矩形、多角形など、任意の形状で有り得る。
【００２３】
上辺３１Ｕ、左辺３１Ｌ、及び右辺３１Ｒは、下辺３１Ｄより細い細枠部であり、接着剤２をためるための凹部３２ｄ，３２ｅを有する。凹部３２ｄは、上辺３１Ｕの左端部（左辺３１Ｌの上端部）、すなわち、枠体３の左上角部に形成された凹部である。凹部３２ｅは、上辺３１Ｕの右端部（右辺３１Ｒの上端部）、すなわち、枠体３の右上角部に形成された凹部である。凹部３２ｄ，３２ｅは、底部を有する凹部であってもよいし、貫通孔であってもよい。図３の例では、凹部３２ｄ，３２ｅの形状は、円形であるが、これに限られない。凹部３２ｄ，３２ｅは、楕円形、矩形、多角形など、任意の形状で有り得る。
【００２４】
接着剤２は、凹部３２ａを始点２１及び終点２２として、凹部３２ｂ〜３２ｅを通るように、枠体３の前面に、各辺に沿って塗布される。すなわち、接着剤２の塗布経路には、凹部３２ａ〜３２ｅが含まれる。
【００２５】
このような構成により、塗布経路の始点２１及び終点２２に塗布された接着剤２の一部が凹部３２ａの内側にたまるため、枠体３の前面に透光性カバー１を接着した際に、接着剤２が枠体３からはみ出すことを抑制できる。また、枠体３の角部に塗布された接着剤２の一部が凹部３２ｂ〜３２ｅの内側にたまるため、枠体３の前面に透光性カバー１を接着した際に、接着剤２が枠体３からはみ出すことを抑制できる。
【００２６】
なお、枠体３は、凹部３２ｂ〜３２ｅの少なくとも１つを有しなくてもよいし、凹部３２ａ〜３２ｅとは異なる位置に更に凹部を備えてもよい。また、接着剤２の塗布経路は、断続的であってもよい。この場合、各塗布経路の始点及び終点が、凹部３２ａ〜３２ｅのいずれかに含まれるように接着剤２が塗布されればよい。
【００２７】
また、接着剤２の始点２１及び終点２２は、凹部３２ｂ〜３２ｅのいずれかに含まれてもよい。ただし、接着剤２の始点２１及び終点２２は、太線部に設けられた凹部３２ａ〜３２ｃのいずれかに含まれるのが好ましい。これは、図３の例のように、太線部には、細線部より広い凹部を形成可能なためである。接着剤２の始点２１及び終点２２が含まれる凹部の面積を広くすることにより、接着剤２が枠体３からはみ出すことをより確実に抑制できる。
【００２８】
次に、本実施形態に係る表示装置１００の組み立て方法について説明する。以下では、接着剤２の塗布を除く各工程を作業者が行う場合を例に説明するが、作業者が行う工程は、それぞれ産業用ロボットなどの製造装置により行われてもよい。
【００２９】
図４は、第１の組み立て方法の各工程を示す図３のＡ−Ａ線断面図である。図４の左側が表示装置１００の前面側、図４の右側が表示装置１００の後面側である。第１の組み立て方法は、凹部３２ａが底部を有する表示装置１００の組み立て方法である。
【００３０】
まず、図４（Ａ）に示すように、作業者は、枠体３の後面に表示部４の前面が接触するように、表示部４を枠体３の所定の位置に配置し、表示部４の後面に保持部５の前面が接触するように、保持部５を枠体３の所定の位置に配置する。作業者は、保持部５により表示部４を枠体３に向かって押圧した状態で、枠体３及び保持部５をネジなどで固定する。次に、図４（Ｂ）に示すように、作業者は、塗布装置により枠体３の前面に接着剤２を塗布する。続いて、図４（Ｃ）に示すように、作業者は、透光性カバー１の後面が枠体３の前面に接触するように、透光性カバー１を枠体３の所定の位置に配置し、透光性カバー１を枠体３に向かって押圧する。これにより、透光性カバー１が接着剤２により枠体３に接着される。その後、作業者は、基板６をネジなどにより保持部５に固定し、後面カバー７をネジなどにより保持部５に固定する。これにより、表示装置１００の組み立てが完了する。
【００３１】
第１の組み立て方法で表示装置１００を組み立てることにより、枠体３及び透光性カバー１のベゼル部１１から、接着剤２がはみ出さないように、表示装置１００を組み立てることができる。なお、第１の組み立て方法では、表示装置１００に加わる振動や衝撃により表示部４がずれないように、表示部４のずれを抑制するためのリブが枠体３に設けられるのが好ましい。また、枠体３に対する表示部４及び保持部５の取り付けは、枠体３に透光性カバー１を接着した後に行われてもよい。
【００３２】
図５は、第２の組み立て方法の各工程を示す図３のＡ−Ａ線断面図である。図５の左側が表示装置１００の前面側、図５の右側が表示装置１００の後面側である。第２の組み立て方法は、凹部３２ａが貫通孔である表示装置１００の組み立て方法である。
【００３３】
まず、図５（Ａ）に示すように、作業者は、枠体３の後面に表示部４の前面が接触するように、表示部４を枠体３の所定の位置に配置し、表示部４の後面に保持部５の前面が接触するように、保持部５を枠体３の所定の位置に配置する。作業者は、保持部５により表示部４を枠体３に向かって押圧した状態で、枠体３及び保持部５をネジなどで固定する。次に、図５（Ｂ）に示すように、作業者は、塗布装置により枠体３の前面に接着剤２を塗布する。図５の例では、凹部３２ａは貫通孔であるため、接着剤２を枠体３に塗布すると、表示部４の前面における凹部３２ａから露出した部分にも接着剤２が塗布される。続いて、図５（Ｃ）に示すように、作業者は、透光性カバー１の後面が枠体３の前面に接触するように、透光性カバー１を枠体３の所定の位置に配置し、透光性カバー１を枠体３に向かって押圧する。これにより、透光性カバー１が接着剤２により枠体３に接着される。また、表示部４が凹部３２ａを介して接着剤２により枠体３に接着される。その後、作業者は、基板６をネジなどにより保持部５に固定し、後面カバー７をネジなどにより保持部５に固定する。これにより、表示装置１００の組み立てが完了する。
【００３４】
第２の組み立て方法で表示装置１００を組み立てることにより、枠体３及び透光性カバー１のベゼル部１１から、接着剤２がはみ出さないように、表示装置１００を組み立てることができる。また、第２の組み立て方法では、表示部４が枠体３に接着されるため、表示装置１００に加わる振動や衝撃による表示部４のずれが抑制される。したがって、表示部４のずれを抑制するために枠体３に設けるリブを第１の組み立て方法の場合より少なくしても、表示部４のずれを抑制できる。結果として、枠体３の形状を単純化できるため、枠体３の製造コストを低減できる。
【００３５】
図６は、第３の組み立て方法の各工程を示す図３のＡ−Ａ線断面図である。図６の左側が表示装置１００の前面側、図６の右側が表示装置１００の後面側である。第３の組み立て方法は、凹部３２ａが貫通孔である、表示装置１００の変形例の組み立て方法である。図６の表示装置１００では、表示部４は、枠体３上に配置され、透光性カバー１と保持部５との間に挟まれた状態で保持される。すなわち、表示部４の前面は、透光性カバー１の前面に接触し、後面は保持部５の前面に接触する。また、保持部５の前面は、枠体３の後面に接触する。
【００３６】
まず、図６（Ａ）に示すように、作業者は、枠体３の後面に保持部５の前面が接触するように、保持部５を枠体３の所定の位置に配置し、枠体３及び保持部５をネジなどで固定する。また、作業者は、表示部４の後面が保持部５の前面に接触するように、表示部４を枠体３上の所定の位置に配置する。次に、図６（Ｂ）に示すように、作業者は、塗布装置により枠体３の前面に接着剤２を塗布する。図６の例では、凹部３２ａは貫通孔であるため、接着剤２を枠体３に塗布すると、保持部５の前面における凹部３２ａから露出した部分にも接着剤２が塗布される。続いて、図６（Ｃ）に示すように、作業者は、透光性カバー１の後面が枠体３及び表示部４の前面に接触するように、透光性カバー１を枠体３の所定の位置に配置し、透光性カバー１を枠体３に向かって押圧する。これにより、透光性カバー１が接着剤２により枠体３に接着される。また、保持部５が凹部３２ａを介して接着剤２により枠体３に接着される。その後、作業者は、基板６をネジなどにより保持部５に固定し、後面カバー７をネジなどにより保持部５に固定する。これにより、表示装置１００の組み立てが完了する。
【００３７】
第３の組み立て方法で表示装置１００を組み立てることにより、枠体３及び透光性カバー１のベゼル部１１から、接着剤２がはみ出さないように、表示装置１００を組み立てることができる。また、第３の組み立て方法における表示装置１００では、表示部４及び透光性カバー１が、第１及び第２の組み立て方法における表示装置１００より接近するため、透光性カバー１を介した画面の視認性や、透光性カバー１がタッチパネルである場合の操作感を向上させることができる。なお、第３の組み立て方法では、表示装置１００に加わる振動や衝撃により表示部４がずれないように、表示部４のずれを抑制するためのリブが枠体３に設けられるのが好ましい。また、枠体３上への表示部４の配置は、枠体３に接着剤２を塗布した後に行われてもよい。
【００３８】
なお、上記実施形態に挙げた構成等に、その他の要素との組み合わせなど、ここで示した構成に本発明が限定されるものではない。これらの点に関しては、本発明の趣旨を逸脱しない範囲で変更可能であり、その応用形態に応じて適切に定めることができる。
【符号の説明】
【００３９】
１：透光性カバー
２：接着剤
３：枠体
４：表示部
５：保持部
６：基板
７：後面カバー
８：塗布装置
９，１０：被接着物
１１：ベゼル部
２１：始点
２２：終点
３１Ｄ：下辺
３１Ｕ：上辺
３１Ｌ：左辺
３１Ｒ：右辺
３２ａ〜３２ｅ：凹部
【図１】
2018189921.tif 000003
【図２】
2018189921.tif 000004
【図３】
2018189921.tif 000005
【図４】
2018189921.tif 000006
【図５】
2018189921.tif 000007
【図６】
2018189921.tif 000008